(57)【要約】【課題】きわめて簡単な手段で、ボイスコイルとスピーカを装着する筐体側に配置されたスピーカ入力端子との電気的接続を容易に行うことができ、しかも信頼性に富み、構造が簡単で、外形形状がシンプルなスピーカを提供する。【解決手段】少なくとも磁気回路、ボイスコイル６、ダイヤフラム７を装着したフレーム５と、このフレーム５に装着するリング部材１０とでスピーカ１を構成するもので、リング部材１０は、リング状主体１０ａと、その外周部の一部に突出形成された可撓性を有する帯状部材１０ｂとで構成され、リング主体１０ａおよび帯状部材１０ｂの一方の面に、一対の導電部１１を互いに絶縁状態を保持して装着し、各導電部１１にボイスコイルのリード線８をそれぞれ接続し、前記帯状部材１０ｂの先端部を、フレーム５外に延出させて外部接続端子とする。【選択図】        図１
2004336622.tif 000002
【特許請求の範囲】
【請求項１】
少なくとも磁気回路、ボイスコイル、ダイヤフラムを装着したフレームと、このフレームに装着されるリング部材からなるものであって、
前記リング部材は、リング状主体と、このリング状主体の外周部の一部に突出形成された可撓性を有する帯状部材とから構成され、前記リング主体および帯状部材の一方の面に、一対の導電部を互いに絶縁状態を保持しながら装着し、前記各導電部にボイスコイルのリード線をそれぞれ接続するとともに、
前記帯状部材の先端部を、フレーム外に延出させて外部接続端子としたこと
を特徴とする外部接続端子を有するスピーカ。
【請求項２】
前記フレームは、
その外周部の一部に、前記リング部材を形成する帯状部材の先端部を挿通させるための挿通部が形成されたものであること
を特徴とする請求項１に記載の外部接続端子を有するスピーカ。
【請求項３】
前記リング部材は、
所要の厚みを有するリング主体と、このリング主体の外周に一体的に突出形成された可撓性を有する帯状部材からなるもので、前記リング主体および帯状部材の一方の面に、一対の導電性箔からなる帯状の導電部を、互いに絶縁状態を保持しながら装着したこと
を特徴とする請求項１に記載の外部接続端子を有するスピーカ。
【請求項４】
前記導電性箔は、
銀、アルミニウム、銅のいずれかであること
を特徴とする請求項３に記載の外部接続端子を有するスピーカ。
【請求項５】
前記リング部材は、
リング主体の外周縁の一部に、前記各導電部にボイスコイルのリード線を引き出すためのガイド溝が形成されていること
を特徴とする請求項１〜３のいずれかに記載の外部接続端子を有するスピーカ。
【発明の詳細な説明】
【０００１】
【発明の属する技術分野】
この発明は、各種の音響機器に使用されるスピーカ、より具体的には、ボイスコイルとフレームとの接続を簡略化し、かつスピーカを装着する筐体等のスピーカ入力端子との導通を容易に行うことのできる外部接続端子を有するスピーカに関するものである。
【０００２】
【従来の技術】
携帯電話機、ヘッドフォン、ボイスメモなど小型機器に使用される薄型のスピーカにおいて、機器に取り付ける際の作業性に優れたスピーカとして、例えば、特開平８−２３７７９２号公報（特許文献１）においては、磁気ギャップを形成した磁気回路と、この磁気回路を結合したフレームと、このフレームの周縁に外周部を結合すると共に、上記磁気ギャップに嵌まり込むボイスコイルを中心に結合した振動板と、上記ボイスコイルから引き出された一対のリード線を接続するために、前記フレームに結合された端子板からなるスピーカユニットと、このスピーカユニットのフレームの外周部が嵌まり込む嵌合部を設けると共に、平面部中央に放音穴を設け、かつ一端が上記スピーカユニットの端子板に当接し、他端が外部へ突出した形状のバネ性を有した一対の接続端子を装着し、前記スピーカユニットを嵌め込んだ断面凹型のプロテクタにより構成することが提案されている。
【０００３】
また、特開２００１−３０９４８７号公報（特許文献２）は、信頼性の高い組立工数の少ないスピーカの外部接続端子構造を有するスピーカに関するもので、永久磁石と、この永久磁石の一方の磁極側に固定したポットヨークと、他方の磁極側に固定したトッププレートと、前記ポットヨークを固定したフレームと、前記フレームに固定した振動板と、前記振動板に固定したボイスコイルと、前記ボイスコイルの巻き線端末から外部へ接続する外部接続端子とを備えたスピーカにおいて、前記フレームに埋設したリードフレームの一部を前記フレームに形成した挿入孔内に露出させるとともに、挿入孔内にプローブピンを挿入し、このプローブピンと、前記リードフレームとを電気的に接続した動電型スピーカが提案されている。
【０００４】
【特許文献１】
特開平  ８−２３７７９２号公報（特許請求の範囲）
【特許文献２】
特開２００１−３０９４８７号公報（特許請求の範囲）
【０００５】
【発明が解決しようとする課題】
特許文献１において提案されたスピーカは、ボイスコイルのリード線を、フレームの外周部に突出形成された端子板に接続する公知の接続方式を採用するに際し、フレームの前面部に嵌め込むプロテクタの一部に、一端が前記フレームの端子板に当接し、他端が外部に突出した形状のバネ性を有する接続端子を装着し、スピーカを使用する機器との間では、半田付けを要することなく電気的に接続できるが、フレームには端子板を突出させて設けることが必須の要件で、またバネ板を使用するので、長期の使用では、素材の劣化が生じ信頼性に問題がある。また、バネ板からなる接続端子を保持するプロテクタの構造自体が複雑であるため、生産性やコスト面においても解決すべき課題がある。
【０００６】
また、特許文献２に記載のスピーカは、スピーカと、当該スピーカを装着する機器との電気的接続は、プローブピンで行われるので、信頼性の点では有利なものであるが、当該プローブピンとボイスコイルとの電気的な接続は、フレームにインサートモールドされたリードフレームによるため、フレームの成形に際し、コスト面では問題が有り、また、プローブピン自体の構造も複雑で、小型化が望まれる機器のスピーカとしては必ずしも小型化には繋がらない。
【０００７】
この発明はかかる現状に鑑み、きわめて簡単な手段で、ボイスコイルとスピーカを装着する筐体側に配置されたスピーカ入力端子との電気的接続を容易に行うことができ、しかも信頼性に富み、構造が簡単で、外形形状がシンプルなスピーカを提供せんとするものである。
【０００８】
【課題を解決するための手段】
前記の目的を達成するため、この発明の請求項１に記載の発明は、
少なくとも磁気回路、ボイスコイル、ダイヤフラムを装着したフレームと、このフレームに装着されるリング部材からなるものであって、
前記リング部材は、リング状主体と、このリング状主体の外周部の一部に突出形成された可撓性を有する帯状部材とから構成され、前記リング主体および帯状部材の一方の面に、一対の導電部を互いに絶縁状態を保持しながら装着し、前記各導電部にボイスコイルのリード線をそれぞれ接続するとともに、
前記帯状部材の先端部を、フレーム外に延出させて外部接続端子としたこと
を特徴とする外部接続端子を有するスピーカである。
【０００９】
また、この発明の請求項２に記載の発明は、
請求項１に記載の外部接続端子を有するスピーカにおいて、
前記フレームは、
その外周部の一部に、前記リング部材を形成する帯状部材の先端部を挿通させるための挿通部が形成されたものであること
を特徴とするものである。
【００１０】
また、この発明の請求項３に記載の発明は、
請求項１に記載の外部接続端子を有するスピーカにおいて、
前記リング部材は、
所要の厚みを有するリング主体と、このリング主体の外周に一体的に突出形成された可撓性を有する帯状部材からなるもので、前記リング主体および帯状部材の一方の面に、一対の導電性箔からなる帯状の導電部を、互いに絶縁状態を保持しながら装着したこと
を特徴とするものである。
【００１１】
また、この発明の請求項４に記載の発明は、
請求項３に記載の外部接続端子を有するスピーカにおいて、
前記導電性箔は、
銀、アルミニウム、銅のいずれかであること
を特徴とするものである。
【００１２】
また、この発明の請求項５に記載の発明は、
請求項１〜３のいずれかに記載の外部接続端子を有するスピーカにおいて、
前記リング部材は、
リング主体の外周縁の一部に、前記各導電部にボイスコイルのリード線を引き出すためのガイド溝が形成されていること
を特徴とするものである。
【００１３】
【発明の実施の形態】
以下、この発明にかかるスピーカの好ましい実施の形態を、添付の図面に基づいて具体的に説明するが、この発明は、以下に記載の実施の形態にのみ限定されるものではなく、その要旨を変更しない範囲内において種々変更を加えることができる。
【００１４】
図１は、この発明の外部接続端子を有するスピーカの一実施形態を示す部分断面からなる概略説明図であって、スピーカ１は、いわゆる壺型のポットヨーク２、このポットヨーク２の内底部上に同心円上に配置固定されるマグネット３、このマグネット３の上面に配置固着されるポールピース４からなる磁気回路と、前記ポットヨーク２の外周部に装着保持されるフレーム５と、前記磁気回路のギャップ内に保持されるボイスコイル６と、裏面部にボイスコイル６の上端部が固着されるとともに、外周部が直接又はエッジを介して前記フレーム５の内周部の所要部位に装着保持されるダイヤフラム７とから構成されたものである。
なお、図中８はボイスコイル６のリード線、９は全面に放音孔（図示せず）が形成されたプロテクタである。
【００１５】
かかるスピーカ１において、１０はフレーム５に装着されるリング部材で、特に、図１および図４で明らかなように、フレーム５の外周部に形成された周壁５ａの内径と同径の外径を有するリング主体１０ａと、その外周の一部に水平方向に一体的に延出させた可撓性を有する帯状部材１０ｂからなるものである。
【００１６】
このリング部材１０の裏面には、一対の導電部１１，１１（図４の斜線部分で示す。）が、帯状部材１０ｂの基端部からリング主体１０ａに沿って、前記帯状部材１０ｂの取付け部位と対称の位置まで半円状に、互いに絶縁状態を保持させなら一体的に固着されている。
【００１７】
なお、このリング部材１０への導電部１１，１１の取付けには特段の制限はないが、スピーカをより薄型とするには、銀、アルミニウム、銅などの導電性のよい箔を帯状にし、帯状部材１０ｂの基端部からリング主体１０ａに沿って、前記帯状部材１０ｂの突出位置と反対側の位置まで、互いに絶縁状態を保持させなら一体的に固着することが、薄型スピーカとする点から好ましい。
【００１８】
また、このリング部材１０は、樹脂などのように絶縁性と弾性を有する素材でリング主体１０ａと帯状部材１０ｂとを一体成形することが好ましく、その長さも使用態様によって自在に調整が可能なものとすることができ、また、全体を内部に２本の導線をインサート成形でモールドした扁平なフレキシブルチューブを使用して形成してもよい。要は、帯状部材１０ｂが可撓性を有するならは、素材には限定がないものである。
【００１９】
さらに、このリング部材１０を構成するリング主体１０ａの、前記帯状部材１０ｂの取付け位置と対称となる外周部には、図４で明らかなように、ボイスコイル６のリード線８，８の先端部を導電部１１，１１に半田付け手段によって固着するに際し、おおよその固着位置を指示し、かつリード線８の引き出し方向を明らかにするためのガイド溝１２，１２が形成されている。
【００２０】
かかる構成のスピーカ１は、図１で明らかなように、ボイスコイル６のリード線８，８の先端部を、ダイヤフラム７の裏面に沿ってリング部材１０方向に這わせながら、リング部材１０の下方から前記ガイド溝１２，１２を介して上方に引き出し、リング主体１０ａに形成した導電部１１，１１にそれぞれリード線８，８を半田付け１３したのち、リング主体１０ａ上に顕出する各リード線８の先端部を切断除去する。
【００２１】
ついで、リング部材１０の導電部１１，１１が下方になるようにして、リング部材１０に突出形成された帯状部材１０ｂの先端部を、フレーム５の周壁５ａの一部に形成された貫通孔からなる挿通部５ｂに挿通させて、フレーム５外に引き出し、フレーム５の周壁５ａの内周部と、この内周部と当接するリング状主体１０ａの外周部とを接着剤で一体的に固着するものである。
【００２２】
しかるのち、リング主体１０ａ上面部に、ダイヤフラム７の外周部を接着固定し、このダイヤフラム７を保護するためのプロテクタ９をフレーム５の開口部に装着してスピーカ１を構成するものである。
【００２３】
なお、ダイヤフラム７は、図１に示すように、その外周部を直接リング主体１０ａ上面部に固着してもよいが、例えばドーム状振動板を使用し、その外周部に一体的に固着したエッジの外周部をリング主体１０ａ上面部に間接的に固着することも可能で、磁気回路も外磁型を使用してもよい。
【００２４】
かくして得たスピーカ１は、これを装着する筐体１４の所要部位に装着するに際し、前記フレーム５外に引き出された帯状部材１０ｂの先端部を、筐体１４にあらかじめ配置されたコネクタなどのスピーカ入力端子１５に差し込めば、各導電部１１，１１を通じてスピーカの入力信号をボイスコイル６に送り、ダイヤフラム７を振動させることができる。
【００２５】
なお、図５では、このスピーカ１の帯状部材１０ｂを筐体１４のスピーカ入力端子１５に差し込む方式を説明したが、筐体１４側に設けられたスピーカ入力線（図示せず）を、帯状部材１０ｂに配置された各導電部１１，１１に直接接続することもできる。
【００２６】
【発明の効果】
この発明の外部接続端子を有するスピーカは、フレームの内周部と当接するリング主体の外周部の一部に、可撓性を有する所要長さの帯状部材を一体的に突出形成するとともに、これらリング状主体と帯状部材に跨って一対の導電部を互いに絶縁状態を保持させながら装着したリング部材を、フレームの内周部に固着し、各導電部にボイスコイルのリード線を接続固定し、前記帯状部材をフレーム外に引き出して外部接続端子としたので、この外部接続端子の先端部を、筐体等に設けたスピーカ入力端子に差し込むというきわめて簡単な手段でスピーカを筐体等に装着保持することができる。
【００２７】
特に、この発明においては、一対の導電部を有するリング部材に、ボイスコイルのリード線をそれぞれ接続固定するとともに、リング部材を構成する可撓性のある帯状部材をフレーム外に引き出して外部接続端子としているので、フレーム自体に端子板を形成する必要がなく、フレームの形状をきわめてシンプルにすることができ、また、ボイスコイルのリード線や外部入力の端子板への半田付け作業がなくなるので、生産効率の向上と生産コストの引き下げができ、信頼性の高いスピーカを提供できる。
【００２８】
また、この発明のスピーカは、当該スピーカを装着する筐体との間で、きわめて簡単な手段で互いに電気的に接続することでき、スピーカの小型化をさらに推進することができるなど、実用面で優れた効果を奏するものである。
【図面の簡単な説明】
【図１】この発明のスピーカの一実施形態を示す部分断面からなる概略説明図である。
【図２】図１に示すスピーカの一部を切欠いた裏面斜視図である。
【図３】図２の一部を拡大した拡大斜視図である。
【図４】図１のスピーカを構成するリング部材の裏面図である。
【図５】図１のスピーカを構成するリング部材と筐体の関係を示す説明図である。
【符号の説明】
１        スピーカ
２        ポットヨーク
３        マグネット
４        ポールピース
５        フレーム
５ａ      周壁
５ｂ      挿通部
６        ボイスコイル
７        ダイヤフラム
８        ボイスコイルのリード線
９        プロテクタ
１０      リング部材
１０ａ    リング主体
１０ｂ    帯状部材
１１      導電部
１２      ガイド溝
１３      半田付け
１４      筐体
１５      スピーカ入力端子
【図１】
2004336622.tif 000003
【図２】
2004336622.tif 000004
【図３】
2004336622.tif 000005
【図４】
2004336622.tif 000006
【図５】
2004336622.tif 000007